(57)【要約】【課題】  回答者が自身の属性情報を入力しなくとも属性情報を取得でき、これによりアンケートの設問数を減らして回答者の負担を軽減することが可能な撮影システム等を提供する。【解決手段】  撮影システム１の撮影装置２は、撮影した被写体の画像を解析することで被写体の属性や特徴を認識する。また、年齢や性別等の属性情報の入力を省いたアンケートを実施し、撮影画像、アンケートの回答、及び被写体の属性情報をサーバ３に送信する。サーバ３は、被写体の属性情報に応じたメールを入力されたメールアドレス（ユーザ端末５）に送信する。これにより、利用者にアンケートの回答をしてもらう代わりに、撮影した画像を提供するサービス等において、アンケートの設問数を減らすことが可能となり、利用者の負担を軽減できる。また属性情報に応じた情報をメール送信でき、販促等の効果を期待できる。【選択図】図６
2019149022.tif 000002
【特許請求の範囲】
【請求項１】
撮影装置とサーバとがネットワークを介して通信接続された撮影システムであって、
前記撮影装置は、
被写体を撮影する撮影手段と、
前記撮影手段により撮影した画像から被写体の属性を認識する画像認識手段と、
被写体に対してアンケートを提示し回答を取得するアンケート処理手段と、
前記被写体の属性情報及び前記アンケートの回答を前記サーバに送信する送信手段と、を備え、
前記サーバは、前記撮影装置から送信された被写体の属性情報及びアンケートの回答を受信する受信手段と、
前記受信手段により受信した被写体の属性情報及びアンケートの回答を記憶する記憶手段と、
を備えることを特徴とする撮影システム。
【請求項２】
前記撮影装置は、前記撮影手段により撮影した画像から写真を生成してプリントする写真プリント手段を更に備えることを特徴とする請求項１に記載の撮影システム。
【請求項３】
前記撮影装置は、
前記被写体であるユーザのメールアドレスの入力を受け付けるメールアドレス入力手段を更に備え、
前記送信手段は、前記メールアドレスと前記画像とを被写体の属性情報及びアンケートの回答とともに前記サーバに送信し、
前記サーバの、
前記受信手段は、メールアドレス、画像、被写体の属性情報、及びアンケートの回答を受信し、
前記記憶手段は、前記受信手段により受信したメールアドレス、画像、被写体の属性情報、及びアンケートの回答を記憶し、
前記画像を、前記メールアドレスに対して送信するメール送信手段を更に備えることを特徴とする請求項１または請求項２に記載の撮影システム。
【請求項４】
前記サーバの前記記憶手段には、複数パターンのメールデータが記憶され、
前記メール送信手段は、前記被写体の属性情報に応じたパターンのメールを前記記憶手段から読み出して前記ユーザに送信することを特徴とする請求項３に記載の撮影システム。
【請求項５】
前記画像認識手段は、前記属性情報として、性別及び年齢を推定することを特徴とする請求項１から請求項４のいずれかに記載の撮影システム。
【請求項６】
前記画像認識手段は、前記属性情報として、更に、被写体の身なりの特徴または嗜好を推定することを特徴とする請求項５に記載の撮影システム。
【請求項７】
前記メール送信手段は、前記被写体の属性情報及びアンケートの回答に応じたパターンのメールを前記記憶手段から読み出して前記ユーザに送信することを特徴とする請求項４から請求項６のいずれかに記載の撮影システム。
【請求項８】
前記メールパターンの決定は、前記サーバにより行われることを特徴とする請求項４から請求項７のいずれかに記載の撮影システム。
【請求項９】
前記メールパターンの決定は、前記撮影装置により行われ、
前記撮影装置の送信手段は、前記メールアドレスを前記画像、被写体の属性情報、及びアンケートの回答とともに、決定されたメールパターンの情報を前記サーバに送信することを特徴とする請求項４から請求項７のいずれかに記載の撮影システム。
【請求項１０】
被写体を撮影する撮影手段と、
前記撮影手段により撮影した画像から被写体の属性を認識する画像認識手段と、
被写体に対してアンケートを提示し回答を取得するアンケート処理手段と、
前記被写体の属性情報及びアンケートの回答をネットワークを介して通信接続されたサーバに送信する送信手段と、
を備えることを特徴とする撮影装置。
【請求項１１】
被写体を撮影する撮影手段と、前記撮影手段により撮影した画像から被写体の属性を認識する画像認識手段と、被写体に対してアンケートを提示し回答を取得するアンケート処理手段と、を備えた撮影装置とネットワークを介して通信接続されたサーバであって、
前記撮影装置から送信された被写体の属性情報及びアンケートの回答を受信する受信手段と、
前記受信手段により受信した被写体の属性情報及びアンケートの回答を紐づけて記憶する記憶手段と、
を備えることを特徴とするサーバ。
【請求項１２】
撮影装置とサーバとがネットワークを介して通信接続された撮影システムで行われるアンケート処理方法であって、
前記撮影装置が、
被写体を撮影するステップと、
撮影した画像から被写体の属性を認識するステップと、
被写体に対してアンケートを提示し回答を取得するステップと、
前記被写体の属性情報及び前記アンケートの回答を前記サーバに送信するステップと、を含み、
前記サーバが、
前記撮影装置から送信された被写体の属性情報及びアンケートの回答を受信するステップと、
前記受信手段により受信した被写体の属性情報及びアンケートの回答を記憶するステップと、
を含むことを特徴とするアンケート処理方法。
【発明の詳細な説明】
【技術分野】
【０００１】
本発明は、撮影システム、撮影装置、サーバ、及びアンケート処理方法に関し、撮影装置を利用したアンケート処理に関する。
【背景技術】
【０００２】
イベント会場等に設置される撮影装置において、アンケートに回答してもらう代わりに写真を提供するサービスが知られている。例えば、このサービスでは、利用者にアンケートに回答してもらう必要があるが、アンケートの設問数が多くなると利用者の意識が散漫となり、正確な回答が得られない虞がある。例えば、特許文献１には、写真撮影時に顧客の宗教の種類、性別、年齢、外観上の特徴等の属性情報を顧客が入力し、その結果を反映させた撮影条件を報知して写真撮影時の注意喚起を行う撮影システムが提案されている。
【先行技術文献】
【特許文献】
【０００３】
【特許文献１】特開２００６−３０１１７９号公報
【発明の概要】
【発明が解決しようとする課題】
【０００４】
しかしながら、上述の撮影システムでは、属性情報を顧客自身が手入力する必要があり、顧客の負担を強いるものであった。
【０００５】
本発明は、このような問題に鑑みてなされたものであり、回答者が自身の属性情報を入力しなくとも属性情報を取得でき、これによりアンケートの設問数を減らして回答者の負担を軽減することが可能な撮影システム、撮影装置、サーバ、及びアンケート処理方法を提供することを目的とする。
【課題を解決するための手段】
【０００６】
前述した課題を解決するための第１の発明は、撮影装置とサーバとがネットワークを介して通信接続された撮影システムであって、前記撮影装置は、被写体を撮影する撮影手段と、前記撮影手段により撮影した画像から被写体の属性を認識する画像認識手段と、被写体に対してアンケートを提示し回答を取得するアンケート処理手段と、前記被写体の属性情報及び前記アンケートの回答を前記サーバに送信する送信手段と、を備え、前記サーバは、前記撮影装置から送信された被写体の属性情報及びアンケートの回答を受信する受信手段と、前記受信手段により受信した被写体の属性情報及びアンケートの回答を記憶する記憶手段と、を備えることを特徴とする撮影システムである。
【０００７】
本発明の撮影システムでは、撮影装置は、被写体を撮影し、撮影した画像を解析することで被写体の属性や特徴を認識する。また、被写体であるユーザに対してアンケートを提示し回答を取得して、ユーザの属性情報及びアンケートの回答をサーバに送信する。サーバは撮影装置からユーザの属性情報やアンケート回答を受信して記憶する。これにより、年齢や性別等の属性情報に関する設問を省いたアンケートを実施でき、設問数を削減できるため利用者の負担を軽減できる。また、設問数に上限がある場合でも、属性情報に関する質問に代えて実質的な質問を設定可能となり、内容が充実したアンケートを実施できる。
【０００８】
また、前記撮影装置は、前記撮影手段により撮影した画像から写真を生成してプリントする写真プリント手段を更に備えることが望ましい。これにより、例えばアンケートの回答をしてもらう代わりに撮影した画像を写真で提供するサービス等に本発明を適用できる。
【０００９】
また、前記撮影装置は、前記被写体であるユーザのメールアドレスの入力を受け付けるメールアドレス入力手段を更に備え、前記送信手段は、前記メールアドレスと前記画像とを被写体の属性情報及びアンケートの回答とともに前記サーバに送信し、前記サーバの、前記受信手段は、メールアドレス、画像、被写体の属性情報、及びアンケートの回答を受信し、前記記憶手段は、前記受信手段により受信したメールアドレス、画像、被写体の属性情報、及びアンケートの回答を記憶し、前記画像を、前記メールアドレスに対して送信するメール送信手段を更に備えることが望ましい。これにより、サーバはアンケートの回答や属性情報とともに、被写体であるユーザのメールアドレスと画像を受信して、画像を、ユーザのメールアドレスに対してメールで送信することが可能となる。被写体であるユーザは、自身が撮影された画像をメールで受け取ることが可能となる。
【００１０】
また、前記サーバの前記記憶手段には、複数パターンのメールデータが記憶され、前記メール送信手段は、前記被写体の属性情報に応じたパターンのメールを前記記憶手段から読み出して前記ユーザに送信することが望ましい。サーバは、ユーザの属性情報に応じたパターンのメールをユーザにより入力されたメールアドレスに送信できるため、ユーザの属性に合った適切なメールを送信でき、販促等の効果を期待できる。
【００１１】
前記画像認識手段は、前記属性情報として、性別及び年齢を推定することを特徴とすることが望ましい。これにより、サーバは、性別及び年齢に合った適切なメールを被写体のメールアドレスに送信でき、販促等の効果を期待できる。
【００１２】
また、前記画像認識手段は、前記属性情報として、更に、被写体の身なりの特徴または嗜好を推定することが望ましい。これにより、サーバは、性別及び年齢に加え、被写体の身なりや嗜好に合った適切なメールを被写体のメールアドレスに送信でき、更に、販促等の効果を期待できる。
【００１３】
前記メール送信手段は、前記被写体の属性情報及びアンケートの回答に応じたパターンのメールを前記記憶手段から読み出して前記ユーザに送信することが望ましい。これにより、サーバは、属性情報のみならずアンケートの回答を加味した適切なメールを被写体のメールアドレスに送信でき、更に、販促等の効果を期待できる。
【００１４】
前記メールパターンの決定は、前記サーバにより行われることが望ましい。或いは、前記メールパターンの決定は、前記撮影装置により行われ、前記撮影装置の送信手段は、前記メールアドレスを前記画像、被写体の属性情報、及びアンケートの回答とともに、決定されたメールパターンの情報を前記サーバに送信してもよい。
【００１５】
第２の発明は、被写体を撮影する撮影手段と、前記撮影手段により撮影した画像から被写体の属性を認識する画像認識手段と、被写体に対してアンケートを提示し回答を取得するアンケート処理手段と、前記被写体の属性情報及びアンケートの回答をネットワークを介して通信接続されたサーバに送信する送信手段と、を備えることを特徴とする撮影装置である。
【００１６】
第２の発明の撮影装置は、第１の発明の撮影システムにおける撮影装置であり、被写体を撮影し、撮影した画像を解析することで被写体の属性や特徴を認識する。また、被写体であるユーザに対してアンケートを提示し回答を取得して、ユーザの属性情報及びアンケートの回答をサーバに送信する。これにより、被写体を撮影する撮影装置で、年齢や性別等の属性情報に関する設問を省いたアンケートを実施でき、設問数を削減できるため利用者の負担を軽減できる。また、設問数に上限がある場合でも、属性情報に関する質問に代えて実質的な質問を設定可能となり、内容が充実したアンケートを実施できる。
【００１７】
第３の発明は、被写体を撮影する撮影手段と、前記撮影手段により撮影した画像から被写体の属性を認識する画像認識手段と、被写体に対してアンケートを提示し回答を取得するアンケート処理手段と、を備えた撮影装置とネットワークを介して通信接続されたサーバであって、前記撮影装置から送信された被写体の属性情報及びアンケートの回答を受信する受信手段と、前記受信手段により受信した被写体の属性情報及びアンケートの回答を紐づけて記憶する記憶手段と、を備えることを特徴とするサーバである。
【００１８】
第３の発明は、第１の発明の撮影システムにおけるサーバであり、撮影装置から送信された被写体の属性情報及びアンケートの回答を受信し、受信した被写体の属性情報及びアンケートの回答を紐づけて記憶することが可能となる。
【００１９】
第４の発明は、撮影装置とサーバとがネットワークを介して通信接続された撮影システムで行われるアンケート処理方法であって、前記撮影装置が、被写体を撮影するステップと、撮影した画像から被写体の属性を認識するステップと、被写体に対してアンケートを提示し回答を取得するステップと、前記被写体の属性情報及び前記アンケートの回答を前記サーバに送信するステップと、を含み、前記サーバが、前記撮影装置から送信された被写体の属性情報及びアンケートの回答を受信するステップと、前記受信手段により受信した被写体の属性情報及びアンケートの回答を記憶するステップと、を含むことを特徴とするアンケート処理方法である。
【００２０】
第４の発明のアンケート処理方法では、撮影装置は、被写体を撮影し、撮影した画像を解析することで被写体の属性や特徴を認識する。また、被写体であるユーザに対してアンケートを提示し回答を取得して、ユーザの属性情報及びアンケートの回答をサーバに送信する。サーバは撮影装置からユーザの属性情報やアンケート回答を受信して記憶する。これにより、年齢や性別等の属性情報に関する設問を省いたアンケートを実施でき、設問数を削減できるため利用者の負担を軽減できる。また、設問数に上限がある場合でも、属性情報に関する質問に代えて実質的な質問を設定可能となり、内容が充実したアンケートを実施できる。
【発明の効果】
【００２１】
本発明により、回答者が自身の属性情報を入力しなくとも属性情報を取得でき、これによりアンケートの設問数を減らして回答者の負担を軽減することが可能な撮影システム、撮影装置、サーバ、及びアンケート処理方法を提供することが可能となる。
【図面の簡単な説明】
【００２２】
【図１】撮影システム１を示す図
【図２】撮影装置２の構成を示す図
【図３】制御装置２０のハードウェア構成を示す図
【図４】サーバ３のハードウェア構成を示す図
【図５】ユーザ端末５のハードウェア構成を示す図
【図６】撮影装置２が実行する処理の流れを示すフローチャート
【図７】撮影装置２の画面遷移を示す図
【図８】アンケート画面４６の一例を示す図
【図９】サーバ３が実行する処理の流れを示すフローチャート
【図１０】サーバ３に記憶される撮影画像データ３２１のデータ構成の一例を示す図
【図１１】サーバ３に記憶されるメールパターンテーブル３２３の構成の一例を示す図
【図１２】サーバ３に記憶されるメールデータテーブル３２５の構成の一例を示す図
【図１３】回答者のユーザ端末５に送信されるメール８１の一例を示す図
【発明を実施するための形態】
【００２３】
以下、図面に基づいて本発明の好適な実施形態について詳細に説明する。本実施の形態では、イベント会場等で来場者にアンケートに答えてもらう代わりに、その来場者を撮影した写真を提供するサービスに本発明を適用する例を説明する。なお、本発明はこの例に限定されず、例えば、街頭に設置される証明写真の撮影ボックスや、アンケートの回答やユーザ属性情報の収集を行う写真撮影装置等にも本発明を適用可能である。
【００２４】
図１は本発明の一実施形態に係る撮影システム１の構成を示す図である。図１に示すように、本実施形態の撮影システム１は、撮影装置２、サーバ３、ユーザ端末５、アンケート結果を収集する企業のコンピュータ７がネットワーク６を介して通信可能に接続された構成を有する。
【００２５】
撮影装置２は、イベント会場やアミューズメント施設、または街頭等の撮影ブースに設置される撮影装置であり、撮影機能、アンケート機能、写真プリント機能、及びサーバ３との通信機能を有する。
【００２６】
撮影機能とは、アンケートの回答者を被写体として写真や動画の撮影を行う機能である。アンケート機能とは、表示部２１へのアンケートの表示、及び回答の入力等を実施する機能である。写真プリント機能とは、撮影機能により撮影された画像から写真を生成してプリントする機能である、サーバ３との通信機能は、アンケート機能により得た回答や撮影機能により撮影された画像等をサーバ３に送信する機能である。各機能の詳細については後述する。
【００２７】
図２は撮影装置２の構成を示す図である。
撮影装置２は、制御装置２０、表示部２１、撮影部２３、照明２４、プリンタ２５等を有する。また必要に応じて、硬貨や紙幣の投入口、つり銭返却口、レシート取出口、レシートプリンタ等（不図示）を含む課金部を備えるようにしてもよい。
【００２８】
制御装置２０は撮影装置２の内部に設けられ、撮影装置２の処理全体を制御する。図３は制御装置２０のハードウェア構成を示す図である。図３に示すように、制御装置２０は、例えば制御部２０１、記憶部２０２、入力部２０３、通信部２０４等をバス等により接続して構成したコンピュータにより実現できる。但しこれに限ることなく、適宜様々な構成をとることができる。
【００２９】
制御部２０１はＣＰＵ（Central Processing Unit）、ＲＯＭ（Read Only Memory）、ＲＡＭ（Random Access Memory）等から構成される。ＣＰＵは、記憶部２０２、ＲＯＭ等の記憶媒体に格納された制御装置２０の処理に係るプログラムをＲＡＭ上のワークエリアに呼び出して実行する。ＲＯＭは不揮発性メモリであり、ブートプログラムやＢＩＯＳ等のプログラム、データ等を恒久的に保持している。ＲＡＭは揮発性メモリであり、記憶部２０２、ＲＯＭ等からロードしたプログラムやデータを一時的に保持するとともに、制御部２０１が各種処理を行うために使用するワークエリアを備える。
【００３０】
記憶部２０２はハードディスクドライブやソリッドステートドライブ、フラッシュメモリ等であり、後述する処理に際し制御装置２０が実行するプログラム、プログラム実行に必要なデータ、ＯＳ等が格納される。これらのプログラムやデータは、制御部２０１により必要に応じて読み出され実行される。
【００３１】
入力部２０３は制御装置２０に各種の設定入力を行うものである。
通信部２０４はネットワーク６等を介した通信を媒介する通信インタフェースであり、サーバ３等との間で通信を行う。
【００３２】
図２の説明に戻る。表示部２１は、撮影装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００３３】
撮影部２３は、例えばＣＣＤ（Charge Coupled Device）イメージセンサやＣＭＯＳ（Complementary Metal Oxide Semiconductor）イメージセンサなどの撮像素子を用いたカメラである。撮影部２３には、例えば高解像度のデジタルカメラを用いることが望ましいが、これに限ることはない。
【００３４】
照明２４は、撮影時のフラッシュ用のストロボ光源である。
【００３５】
プリンタ２５は、画像をプリントするものであり、撮影装置２の内部に設けられる。画像をプリントしたプリント物は撮影装置２のプリント物取出口（不図示）から排出される。プリンタ２５の方式や設置台数等は特に問わない。
【００３６】
図１の説明に戻る。サーバ３は、撮影装置２の撮影機能で得られた画像やアンケート機能により得られたアンケートの回答等を収集し、管理するサーバである。
【００３７】
図４は、サーバ３のハードウェア構成を示す図である。図４に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３８】
制御部３１、記憶部３２、入力部３４、通信部３５の機能は前記した制御部２０１、記憶部２０２、入力部２０３、通信部２０４と略同様である。また表示部３３は液晶パネル等のディスプレイ装置を有する。
【００３９】
なお、サーバ３の記憶部３２には後述する処理をサーバ３に実行させるためのプログラムが格納される。また入力部３４はキーボード、マウス等のポインティングデバイス、テンキー等の入力装置を有する。
【００４０】
図１の説明に戻る。ユーザ端末５はユーザが所持するコンピュータ端末であり、例えばスマートフォン等の携帯端末を用いることができる。
【００４１】
図５はユーザ端末５のハードウェア構成を示す図である。図５に示すように、ユーザ端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４２】
制御部５１、記憶部５２、入力部５４、通信部５５の機能は前記した制御部２０１、記憶部２０２、入力部２０３、通信部２０４と略同様である。また表示部５３は液晶パネル等のディスプレイ装置を有し、入力部５４としてのタッチパネルが設けられている。音声入出力部５７はマイクやスピーカー等である。
【００４３】
なお、ユーザ端末５の記憶部５２にはメールの送受信を行うためのアプリケーションプログラムが格納され、これによりサーバ３からのメールを受信可能となっている。
【００４４】
図１の説明に戻る。企業のコンピュータ７は撮影システム１におけるアンケート機能を利用し、アンケートの設問を作成したり、アンケートの回答や顧客の統計情報を収集したりする企業等のコンピュータ端末である。コンピュータ７は、制御部、記憶部、表示部、入力部、及び通信部等をバス等により接続して構成される。但し、これに限ることなく、適宜様々な構成をとることができる。
【００４５】
次に、撮影システム１において撮影装置２が実行する撮影及びアンケート処理について、図６〜図８を参照して説明する。図６は、撮影装置２が実行する撮影及びアンケート処理の流れを示すフローチャートであり、図７は撮影装置２の画面遷移を示す図であり、図８は、アンケート画面４６の一例を示す図である。
【００４６】
撮影装置２の表示部２１には初期状態として図７（ａ）に示すようなホーム画面４１が表示されているものとする。ホーム画面４１には、「画面をタッチしてね」等の案内メッセージが表示される。
【００４７】
ユーザが表示部２１をタッチすると、撮影装置２の制御装置２０は、図７（ｂ）に示すようなレイアウト選択画面４２を表示部２１に表示し、撮影デザイン（写真レイアウト）の選択を受けつける（ステップＳ１０１）。撮影デザイン（写真のレイアウト）は、例えば、１コマ、２コマ、４コマ、縦デザイン、横デザイン、フレーム合成等、複数種類の中から選択可能とする。
【００４８】
ユーザにより撮影デザインが選択されると、撮影装置２の制御装置２０は撮影処理を開始する（ステップＳ１０２）。撮影処理において、制御装置２０は、撮影部２３による撮像を開始し、図７（ｃ）に示すような撮影開始画面４３を表示する。撮影開始画面４３には、撮像中の被写体（ユーザ）の画像がリアルタイムに表示される。撮影される画像は、動画像でも静止画でもよい。その後、撮影装置２は、シャッタータイミングまでのカウントダウン表示を行って、写真の撮影を行う（図７（ｄ）ライブビュー画面４４）。撮影を複数回繰り返す場合は、カウントダウン表示及び画像の撮影を繰り返し行う。
【００４９】
その後、制御装置２０は、表示部２１に図７（ｅ）に示すように撮影画像を表示する。このとき、画像に適用するフィルタの選択、画像編集や加工を受け付けてもよい。撮影画像確認＆フィルタ選択画面４５には、１または複数の撮影画像と、各種フィルタとが選択可能に表示される。撮影画像確認＆フィルタ選択画面４５において、出力する画像がタッチされ、フィルタが選択され、「次へ」ボタンがタッチされると、制御装置２０は撮影処理を終了し、選択された画像を選択されたフィルタで処理した写真を生成する処理を実行する。
【００５０】
この写真生成処理と平行して、制御装置２０は、撮影した画像を解析することにより被写体（ユーザ）の属性を認識する（ステップＳ１０３）。被写体の属性は、少なくとも、性別や年齢層を含み、例えば顔認識処理により認識される。顔認識処理では、顔画像から顔のパーツの相対位置や大きさ、目や鼻や頬骨や顎の形等の特徴を抽出し、分類することで性別や年齢等の属性を抽出する。顔認識のアルゴリズムは、どのようなものを用いてもよい。また、撮影した画像から顔以外の見た目の特徴（服装や装飾品、眼鏡の有無等）を抽出し、被写体の属性（身なりの特徴や嗜好等）を推定してもよい。制御装置２０は、撮影した画像から被写体の属性を認識すると、認識した属性情報を記憶部２０２に一時記憶する。
【００５１】
その後、制御装置２０は表示部２１にアンケート画面４６を表示する。アンケート画面４６には、図８に示すように、アンケートの設問が表示される。ここで、アンケートには、イベントの感想に関するもの等、アンケートの実質的な設問のみが表示され、ユーザ（被写体）の属性（年齢や性別）に関する設問は省かれる。これは、ステップＳ１０３で被写体の属性情報が画像から認識されているからである。アンケート画面４６に表示する設問は、制御装置２０の記憶部２０２に予め記憶されている設問としてもよいし、サーバ３から受信したアンケートとしてもよい。また、アンケートの設問の内容は、ステップＳ１０３で認識した属性に応じた設問としてもよい。この場合、記憶部２０２またはサーバ３の記憶部３２には、ユーザの属性毎にアンケート設問データが複数記憶されているものとする。
【００５２】
ユーザ（被写体）によりアンケートに対する回答が入力されると（ステップＳ１０４）、制御装置２０は、入力されたアンケートの回答を記憶部２０２に記憶する。
【００５３】
次に制御装置２０は、写真生成処理により生成された写真の印刷処理を行う（ステップＳ１０５）。印刷処理において制御装置２０は、表示部２１に印刷選択画面４７（図７（ｇ））を表示し、プリントする写真の選択やプリント枚数の選択を受け付ける。なお、撮影処理において動画が撮影されている場合は、動画から切り出した画像から写真を生成するようにしてもよい。ユーザによりプリントする写真が選択されると、プリンタ２５に選択された写真を出力し、写真をプリントする。プリントされた写真は、撮影装置２のプリント物取出口より排出される。
【００５４】
次に、制御装置２０は、図７（ｈ）に示すようなメール入力画面４８を表示し、メールアドレスの入力を受け付ける（ステップＳ１０６）。ユーザは、メール入力画面４８に対してメールアドレスを入力する。制御装置２０は、入力されたメールアドレスを記憶部２０２に記憶する。また、制御装置２０は、図７（ｉ）に示すようなＳＮＳ投稿画面４９を表示し、撮影画像のＳＮＳ（Social Networking Service）への投稿を受け付けてもよい（ステップＳ１０７）。ユーザによりＳＮＳへの投稿が指示されると、制御装置２０は、撮影画像（フィルタ処理後の画像）をネットワーク６を介して接続されたＳＮＳサーバ（不図示）へ送信（アップロード）する。当該撮影システム１を利用したイベントを主催する主催者（企業や関連業者）等のアカウントページに撮影画像を投稿することで、イベントの情報や話題を広く拡散することが可能となる。
【００５５】
制御装置２０は、ステップＳ１０２で撮影した画像、ステップＳ１０３で認識された被写体の属性情報、ステップＳ１０４のアンケートの回答、及びステップＳ１０６で入力されたメールアドレスをサーバ３に対して送信する（ステップＳ１０８）。その後、表示部２１に終了画面を表示して、一連の撮影及びアンケート処理を終了する。
【００５６】
図６に示す撮影及びアンケート処理により、サーバ３には、撮影画像、被写体（ユーザ）の属性情報、被写体（ユーザ）によるアンケートの回答、及び被写体（ユーザ）のメールアドレスが送信され、記憶される。
【００５７】
サーバ３は、撮影装置２から収集した情報に基づいてユーザ（被写体）のユーザ端末５にメールを送信する。図９はサーバ３が実行するメール送信処理の流れを説明するフローチャートである。
【００５８】
図９に示すように、撮影装置２から撮影画像、被写体の属性情報、被写体（ユーザ）によるアンケートの回答、及び被写体（ユーザ）のメールアドレスが送信されると、サーバ３の制御部３１は、受信した撮影画像、被写体（ユーザ）の属性情報、被写体（ユーザ）によるアンケートの回答、及び被写体（ユーザ）のメールアドレスを紐づけて記憶部３２に記憶する。
【００５９】
図１０は、サーバ３の記憶部３２に記憶される撮影画像データ３２１の例を示す図である。
図１０に示すように、サーバ３の記憶部３２には、撮影画像データ３２１として、撮影画像３２１ｂ、被写体（ユーザ）の属性情報３２１ｃ、被写体（ユーザ）によるアンケートの回答３２１ｄ、及び被写体（ユーザ）のメールアドレス３２１ｅが撮影ＩＤ３２１ａと紐づけて記憶される。
【００６０】
次に、サーバ３は、被写体の属性情報３２１ｃまたはアンケート回答３２１ｄの内容に応じて、ユーザ端末５に配信するメールパターンを決定する（ステップＳ２０２）。
【００６１】
サーバ３の記憶部３２には、図１１に示すようなメールパターンテーブル３２３が記憶されている。メールパターンテーブル３２３には、属性３２３ｂ、ユーザ特徴３２３ｃに応じた複数のメールパターン３２３ａが設定されているものとする。具体的には、例えば、属性３２３ｂ「男性、２０代」かつユーザ特徴３２３ｃ「高級志向」には、「２０代男性向けＡ」のメールパターン３２３ａとそのメールデータのメールＩＤ３２３ｄ「ｍ００１」が紐づけて設定されている。また例えば、属性３２３ｂ「女性、４０代」かつユーザ特徴３２３ｃ「コスパ重視」には、「４０代女性向けＢ」のメールパターン３２３ａとそのメールデータのメールＩＤ３２３ｄ「ｆ０１２」が紐づけて設定されている。このように、メールパターンテーブル３２３には、ユーザ（被写体）の属性に応じたメールが設定される。
【００６２】
なお、図１１の例では、年齢や性別等の属性３２３ｂに加え、更にユーザ特徴３２３ｃに応じた複数のメールパターン３２３ａが設定されている。ユーザ特徴３２３ｃとは、撮影画像から推定される被写体の身なりの特徴または嗜好等である。ユーザ特徴３２３ｃは、撮影装置２の被写体属性解析処理（図６のステップＳ１０３）において、性別や年齢等の属性情報とともに画像から認識され、サーバ３に送信されるものとする。撮影装置２は、撮影画像から被写体の特徴（服装、アクセサリーの個数や特徴、メガネの有無、ヘアスタイル、化粧等）を抽出・分類し、機械学習等により身なりの特徴や嗜好（高級志向であるか、或いはコスパ（コストパフォーマンス）重視であるか等）を推定するものとする。
【００６３】
サーバ３の制御部３１は、被写体の属性情報として、性別や年齢を撮影装置２から取得している場合は、図１１の属性３２３ｂの情報からメールパターン３２３ａを決定する。また、性別や年齢に加え、ユーザ特徴（ユーザの身なりの特徴や嗜好）３２３ｃも撮影装置２から取得している場合は、図１１の属性３２３ｂ及びユーザ特徴３２３ｃの情報からユーザに配信するメールパターン３２３ａを決定する。サーバ３の制御部３１は、属性情報等に基づいてメールパターン３２３ａを決定すると、決定された配信メールパターン３２３ａのメールＩＤ３２３ｄを撮影画像データ３２１の該当する撮影ＩＤ３２１ａの配信メールパターン３２１ｆに記憶する。
【００６４】
サーバ３は、被写体（ユーザ）の属性情報３２３ｂ（及びユーザ特徴３２３ｃ）に基づいて決定された配信メールパターン３２１ｆ（３２３ａ）に紐づけられたメールＩＤ３２３ｄのメールデータ３２５ｂを記憶部３２から取得し、該当するメールアドレス（ユーザ端末５）３２１ｅに送信する（図９のステップＳ２０３）。
【００６５】
図１２は、サーバ３の記憶部３２に記憶されるメールデータテーブル３２５の例を示す図である。
図１２に示すように、サーバ３の記憶部３２には、各メールＩＤ３２５ａに対応づけてメールデータ３２５ｂが記憶される。例えば、メールＩＤ３２５ａ「ｍ００１」のメールデータ３２５ｂはファイル名「file_m001」として記憶部３２に記憶されている。サーバ３の制御部３１は、図１０の撮影画像データ３２１の各撮影ＩＤ３２１ａについて、決定された配信メールパターン３２１ｆでメールを作成し、メールアドレス３２１ｅに送信する。
【００６６】
図１３は、ユーザに配信されるメール８１の一例である。
メール８１には、件名８１ａ、宛先のメールアドレス８１ｂの他、本文として「写真が完成しました！」等のメッセージ８１ｃと、撮影画像８１ｄ、及び広告情報８１ｅが含まれる。
【００６７】
撮影画像８１ｄは、撮影装置２により撮影されサーバ３にアップロードされた撮影画像３２１ｂ（図１０）である。メッセージ８１ｃと広告情報８１ｅは、被写体（ユーザ）の属性等により決定された配信メールパターン３２１ｆに応じて異なるものである。すなわち、画像から推定される性別、年齢や身なりの特徴等によって、本文の内容や広告の内容が異なるメールが各ユーザのユーザ端末５に送信される。
【００６８】
なお、本実施の形態では、サーバ３が被写体の属性情報等に応じた配信するメールパターンを決定する例について説明したが、配信メールパターンの決定は、撮影装置２で行うものとしてもよい。この場合、図１１に示すメールパターンテーブル３２３は撮影装置２の記憶部２２に記憶されているものとし、撮影装置２は、撮影画像から認識した被写体（ユーザ）の属性情報（及びユーザの特徴等の情報）に基づいてメールパターン３２３ａ（３２１ｆ）を決定する。そして、図６のステップＳ１０８（サーバへの送信処理）において、画像、被写体の属性情報、及びアンケートの回答、及びメールアドレスととともに、属性情報に応じて決定したメールパターン３２３ａの情報をサーバ３に送信する。サーバ３は、撮影装置２で決定されたメールパターン３２３ａに該当するメールデータ３２５ｂをメールデータテーブル３２５から読み出して、撮影画像や広告等を添付したメールを作成し、該当するメールアドレスに対して送信する。
【００６９】
また、メールパターンは、属性情報や被写体の身なりの特徴等に加え、更にアンケートの回答の結果に応じて決定されるものとしてもよい。また、メールパターンは、属性情報とアンケートの回答の結果に応じて決定されるものとしてもよい。アンケートの回答を考慮してメールパターンを決定することで、各ユーザにより適合したメールを送信することが可能となる。
【００７０】
以上説明したように、本実施形態の撮影システム１によれば、アンケートに回答してもらう代わりに写真を提供するサービス等において、撮影画像から被写体の属性や特徴を認識することで、回答者による年齢や性別等の属性情報の入力を省くことが可能となる。これによりアンケートの設問数を減らすことができ、回答者の負担を軽減することが可能となる。また、属性に応じたメールパターンのメールをアンケート回答者に送信することで販促の効果を期待でき、また企業側では、アンケートの回答を収集して顧客の傾向等の統計情報を得ることが可能となる。
【００７１】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７２】
１：撮影システム
２：撮影装置
３：サーバ
５：ユーザ端末
６：ネットワーク
７：企業（コンピュータ）
２０：制御装置
２１：表示部
２３：撮影部
２４：照明
２５：プリンタ
３２１：撮影画像データ
３２３：メールパターンテーブル
３２５：メールデータテーブル
４１：ホーム画面
４２：レイアウト選択画面
４３：撮影開始画面
４４：ライブビュー画面
４５：撮影画像確認・フィルタ選択画面
４６：アンケート画面
４７：印刷選択画面
４８：メール入力画面
４９：ＳＮＳ投稿画面
８１：メール
【図１】
2019149022.tif 000003
【図２】
2019149022.tif 000004
【図３】
2019149022.tif 000005
【図４】
2019149022.tif 000006
【図５】
2019149022.tif 000007
【図６】
2019149022.tif 000008
【図７】
2019149022.tif 000009
【図８】
2019149022.tif 000010
【図９】
2019149022.tif 000011
【図１０】
2019149022.tif 000012
【図１１】
2019149022.tif 000013
【図１２】
2019149022.tif 000014
【図１３】
2019149022.tif 000015